(57)【要約】【課題】複数の再生装置から同時読み出し不可能な第１記録装置に記録された第１再生可能データを、複数の再生装置間で再生可能に共有する統合リスト提供装置を提供する。【解決手段】統合リスト提供装置は、第１再生可能データを示す第１メタデータと、複数の再生装置から同時読み出し可能な第２記録装置に記録された第２再生可能データを示す第２メタデータとを取得するメタデータ取得部と、第１及び第２メタデータが統合された統合リストを生成するリスト生成部と、各再生装置から第１又は第２再生可能データの再生状況を示す再生情報を取得する再生情報取得部と、１つの再生装置から取得した再生情報中に第１再生可能データを示す情報が存在した場合、統合リストを加工して他の再生装置による第１再生可能データの再生を制限する加工済み統合リストを生成するリスト加工部と、統合リスト又は加工済み統合リストを再生装置に提供するリスト提供部とを備えた。【選択図】図１
2019160363.tif 000002
【特許請求の範囲】
【請求項１】
複数の再生装置からの同時読み出しが不可能な第１記録装置に記録された第１再生可能データを示す第１メタデータと、前記複数の再生装置からの同時読み出しが可能な第２記録装置に記録された第２再生可能データを示す第２メタデータと、を取得するメタデータ取得部と、
前記メタデータ取得部が取得した前記第１及び第２メタデータが統合されたリストであって、前記複数の再生装置における各再生装置が前記第１又は第２再生可能データのうち再生するデータを選択するために参照する統合リスト、を生成するリスト生成部と、
前記各再生装置から前記第１又は第２再生可能データの再生状況を示す再生情報を取得する再生情報取得部と、
前記再生情報取得部が前記複数の再生装置における１つの再生装置から取得した再生情報中に、前記第１再生可能データを示す情報が存在した場合、前記統合リストを加工して、前記複数の再生装置における他の再生装置による前記第１再生可能データの再生を制限するための加工済み統合リストを生成するリスト加工部と、
前記リスト加工部が生成した前記加工済み統合リストを前記他の再生装置に提供するリスト提供部と、
を備えたこと
を特徴とする統合リスト提供装置。
【請求項２】
前記リスト加工部は、前記他の再生装置が前記第１再生可能データに対応する前記第１メタデータを選択できなくするように前記統合リストを加工して、前記加工済み統合リストを生成すること
を特徴とする請求項１記載の統合リスト提供装置。
【請求項３】
前記１つの再生装置から取得した再生情報は、当該再生装置で生成されたプレイリストに従った再生進捗状況を示す再生進捗状況情報を含み、
前記リスト加工部は、前記プレイリストにおける全ての前記第１再生可能データが既に再生済みであるか否かを、前記再生進捗状況情報に基づいて判定し、前記プレイリストにおける全ての前記第１再生可能データが既に再生済みである場合、前記加工済み統合リストを、加工前の前記統合リストに戻すように加工すること
を特徴とする請求項２記載の統合リスト提供装置。
【請求項４】
前記１つの再生装置から取得した再生情報は、当該再生装置で生成されたプレイリストに従った再生進捗状況を示す再生進捗状況情報を含み、
前記リスト加工部は、前記プレイリストにおける前記第１再生可能データの再生予定期間を、前記再生進捗状況情報に基づいて算出し、前記プレイリストにおける前記第１再生可能データの前記再生予定期間を、前記統合リストに含めるように加工して、前記加工済み統合リストを生成すること
を特徴とする請求項１記載の統合リスト提供装置。
【請求項５】
請求項４記載の統合リスト提供装置と、
前記第１記録装置と、
前記第２記録装置と、
前記複数の再生装置と、
を備えたこと
を特徴とする再生システム。
【請求項６】
前記複数の再生装置のうち、前記他の再生装置は、前記加工済み統合リストに基づいて、前記１つの再生装置で生成された前記プレイリストにおける前記第１再生可能データの前記再生予定期間と、前記他の再生装置における前記第１再生可能データの再生期間とが重複しないように他のプレイリストを生成すること
を特徴とする請求項５記載の再生システム。
【請求項７】
前記他の再生装置は、前記他のプレイリストに従って再生される前記再生可能データを示す他の再生情報を生成し、
前記他の再生情報は、前記他の再生装置における前記他のプレイリストに従った再生進捗状況を示す他の再生進捗状況情報を含み、
前記統合リスト提供装置の前記リスト加工部は、前記他のプレイリストにおける前記第１再生可能データの再生予定期間を、前記他の再生進捗状況情報に基づいて算出し、前記他のプレイリストにおける前記第１再生可能データの前記再生予定期間を、前記統合リストに含めるように加工すること
を特徴とする請求項６記載の再生システム。
【請求項８】
前記複数の再生装置のうち、前記他の再生装置は、前記加工済み統合リストに基づいて前記１つの再生装置で生成された前記プレイリストにおける前記第１再生可能データの前記再生予定期間と、前記他の再生装置における前記第１再生可能データの再生期間とが一致するように前記他のプレイリストを生成し、
前記他の再生装置は、生成した前記他のプレイリストに従って前記第１再生可能データを再生する場合、前記１つの再生装置が読み出した前記第１再生可能データを取得して再生すること
を特徴とする請求項５記載の再生システム。
【請求項９】
前記他の再生装置は、生成した前記他のプレイリストに従って前記第１再生可能データを再生する前に、当該第１再生可能データの再生を開始する時点で再生している他の前記再生可能データをフェードアウト処理して当該他の前記再生可能データの再生を終了すること
を特徴とする請求項８記載の再生システム。
【請求項１０】
前記他の再生装置は、生成した前記他のプレイリストに従って前記第１再生可能データを再生した後に、当該第１再生可能データの再生を開始する時点で再生していた前記他の前記再生可能データの途中からフェードイン処理して当該他の前記再生可能データの再生を再開すること
を特徴とする請求項９記載の再生システム。
【請求項１１】
前記他の再生装置は、生成した前記他のプレイリストに従って前記第１再生可能データを再生した後に、当該第１再生可能データの再生を開始する時点で再生していた前記他の前記再生可能データの先頭から当該他の前記再生可能データを再生するよう前記他のプレイリストを生成すること
を特徴とする請求項９記載の再生システム。
【請求項１２】
前記他の再生装置は、生成した前記他のプレイリストに従って前記第１再生可能データを再生した後に、当該第１再生可能データの再生を開始する時点で再生していた前記他の前記再生可能データとは異なる前記再生可能データを再生するよう前記他のプレイリストを生成すること
を特徴とする請求項９記載の再生システム。
【請求項１３】
前記他の再生装置が前記他のプレイリストに従って再生している前記第１再生可能データの再生を停止した場合、前記１つの再生装置は、当該第１再生可能データの再生を継続し、
前記他の再生装置が再生を再開した際、前記１つの再生装置が前記第１再生可能データを再生中であり、前記他のプレイリストに当該第１再生可能データを再生する情報が含まれている場合、前記他の再生装置は、前記１つの再生装置が再生している当該第１再生可能データの再生部分から、再生を開始すること
を特徴とする請求項８記載の再生システム。
【請求項１４】
前記他の再生装置は、前記１つの再生装置が再生している前記第１再生可能データの再生部分から再生を開始する際、当該第１再生可能データをフェードイン処理して再生すること
を特徴とする請求項１３記載の再生システム。
【請求項１５】
前記１つの再生装置が当該１つの再生装置で生成された前記プレイリストに従って再生している前記第１再生可能データの再生を停止した場合、前記他の再生装置は、当該第１再生可能データの再生を継続し、
前記１つの再生装置が再生を再開した際、前記他の再生装置が前記第１再生可能データを再生中であり、前記１つの再生装置で生成された前記プレイリストに当該第１再生可能データを再生する情報が含まれている場合、前記１つの再生装置は、前記他の再生装置が再生している当該第１再生可能データの再生部分から、再生を開始すること
を特徴とする請求項８記載の再生システム。
【請求項１６】
前記１つの再生装置は、前記他の再生装置が再生している前記第１再生可能データの再生部分から再生を開始する際、当該第１再生可能データをフェードイン処理して再生すること
を特徴とする請求項１５記載の再生システム。
【請求項１７】
前記メタデータ取得部で前記第１メタデータを取得するか否かを選択する取得選択部を備えたこと
を特徴とする請求項１から請求項４までのいずれか１項記載の統合リスト提供装置。
【請求項１８】
前記統合リスト提供装置は、前記メタデータ取得部で前記第１再生可能データに対応する前記第１メタデータを取得するか否かを選択する取得選択部を備えたこと
を特徴とする請求項５から請求項１６までのいずれか１項記載の再生システム。
【請求項１９】
コンピュータに、
複数の再生装置からの同時読み出しが不可能な第１記録装置に記録された第１再生可能データを示す第１メタデータと、前記複数の再生装置からの同時読み出しが可能な第２記録装置に記録された第２再生可能データを示す第２メタデータと、を取得するメタデータ取得機能と、
前記メタデータ取得機能が取得した前記第１及び第２メタデータが統合されたリストであって、前記複数の再生装置における各再生装置が前記第１又は第２再生可能データのうち再生するデータを選択するために参照する統合リスト、を生成するリスト生成機能と、
前記各再生装置から前記第１又は第２再生可能データの再生状況を示す再生情報を取得する再生情報取得機能と、
前記再生情報取得機能が前記複数の再生装置における１つの再生装置から取得した再生情報中に、前記第１再生可能データを示す情報が存在した場合、前記統合リストを加工して、前記複数の再生装置における他の再生装置による前記第１再生可能データの再生を制限するための加工済み統合リストを生成するリスト加工機能と、
前記リスト加工機能が生成した前記加工済み統合リストを前記他の再生装置に提供するリスト提供機能と、
を実現させるための統合リスト提供プログラム。
【発明の詳細な説明】
【技術分野】
【０００１】
この発明は、統合リスト提供装置、前記統合リスト提供装置を備えた再生システム、及び統合リスト提供プログラムに関するものである。
【背景技術】
【０００２】
ネットワークを介して互いに接続された複数の再生装置のうち１つの再生装置が、各再生装置内の記録装置に記録された再生可能な音楽データ又は映像データ等（以下「再生可能データ」という。）のメタデータを収集し、当該メタデータを統合したプレイリスト（以下「統合リスト」という。）を作成する技術が知られている。
例えば、特許文献１には、音楽データを保有する複数の機器から取得したメタデータを登録し、少なくともＢＴ（Ｂｌｕｅｔｏｏｔｈ（登録商標））オーディオ機器から取得したメタデータについては、当該ＢＴオーディオ機器と車載オーディオ機器との通信接続が解消された後も登録を保持する記憶部を備え、記憶部に格納されているメタデータをもとにプレイリストを作成する車載音響装置が開示されている。
【先行技術文献】
【特許文献】
【０００３】
【特許文献１】特開２０１１−９８６６１号公報
【発明の概要】
【発明が解決しようとする課題】
【０００４】
近年、互いにネットワーク接続された複数の再生装置間で、各再生装置内の記録装置に記録された再生可能データを共有し、各再生装置で再生可能とすることへの要求がある。この要求に対し、特許文献１に開示されたような従来の技術におけるプレイリスト（統合リスト）を各再生装置で共有し、各再生装置が統合リストを参照して、各再生装置において再生される再生可能データを選択可能とすることが考えられる。
しかし、再生装置内の記録装置には、複数の再生装置からの同時読み出しが不可能なものがある。従来の技術は、複数の再生装置からの同時読み出しが不可能な記録装置に記録された再生可能データを複数の再生装置間で再生可能に共有するための装置を提供するものではない、という問題点があった。
【０００５】
この発明は、上述の問題点を解決するためのもので、複数の再生装置からの同時読み出しが不可能な記録装置に記録された再生可能データを、複数の再生装置間で再生可能に共有するための統合リスト提供装置を提供することを目的としている。
【課題を解決するための手段】
【０００６】
この発明に係る統合リスト提供装置は、複数の再生装置からの同時読み出しが不可能な第１記録装置に記録された第１再生可能データを示す第１メタデータと、複数の再生装置からの同時読み出しが可能な第２記録装置に記録された第２再生可能データを示す第２メタデータと、を取得するメタデータ取得部と、メタデータ取得部が取得した第１及び第２メタデータが統合されたリストであって、複数の再生装置における各再生装置が第１又は第２再生可能データのうち再生するデータを選択するために参照する統合リスト、を生成するリスト生成部と、各再生装置から第１又は第２再生可能データの再生状況を示す再生情報を取得する再生情報取得部と、再生情報取得部が複数の再生装置における１つの再生装置から取得した再生情報中に、第１再生可能データを示す情報が存在した場合、統合リストを加工して、複数の再生装置における他の再生装置による第１再生可能データの再生を制限するための加工済み統合リストを生成するリスト加工部と、リスト加工部が生成した加工済み統合リストを他の再生装置に提供するリスト提供部と、を備えたことを特徴とするものである。
【発明の効果】
【０００７】
この発明によれば、複数の再生装置からの同時に読み出しが不可能な記録装置に記録された再生可能データを、複数の再生装置間で再生可能に共有するための統合リスト提供装置を提供することができる。
【図面の簡単な説明】
【０００８】
【図１】実施の形態１に係る統合リスト提供装置が適用された再生システムの構成を示すブロック図である。
【図２】図２Ａ、図２Ｂは、実施の形態１に係る統合リスト提供装置のハードウェア構成の一例を示す図である。
【図３】図３Ａ、図３Ｂ、図３Ｃは、再生システムが車両に搭載された場合の一例である。
【図４】実施の形態１に係る統合リスト提供装置の動作開始時の処理を説明するフローチャートである。
【図５】実施の形態１に係る統合リスト提供装置が生成した統合リストの一例である。
【図６】実施の形態１に係る統合リスト提供装置の処理を説明するフローチャートである。
【図７】図７Ａは、実施の形態１に係る統合リスト提供装置が取得する再生情報の一例である。図７Ｂ、実施の形態１に係る統合リスト提供装置が加工した加工済み統合リストの一例である。
【図８】実施の形態１に係る統合リスト提供装置の処理を説明するフローチャートである。
【図９】図９Ａ、図９Ｂは、実施の形態１の変形例における再生情報の一例である。
【図１０】実施の形態１の変形例に係る統合リスト提供装置の処理を説明するフローチャートである。
【図１１】図１１Ａは、実施の形態１の変形例に係る統合リスト提供装置が取得する再生情報の一例である。図１１Ｂは、実施の形態１の変形例に係る統合リスト提供装置が加工した加工済み統合リストの一例である。
【図１２】図１２Ａは、実施の形態２に係る統合リスト提供装置が再生装置から取得する再生情報の一例である。図１２Ｂは、実施の形態２に係る統合リスト提供装置が加工した加工済み統合リストの一例である。
【図１３】実施の形態２に係る統合リスト提供装置の処理を説明するフローチャートである。
【図１４】実施の形態２に係る統合リスト提供装置の処理を説明するフローチャートである。
【図１５】図１５Ａは、実施の形態２に係る統合リスト提供装置が再生装置から取得する再生情報の一例である。図１５Ｂは、実施の形態２に係る統合リスト提供装置が加工した加工済み統合リストの一例である。
【図１６】図１６Ａ、実施の形態３に係る第１再生装置が生成した第１プレイリストの一例である。図１６Ｂは、実施の形態３に係る第２再生装置が生成した第２プレイリストの一例である。図１６Ｃは、図１６Ａに示した第１プレイリストと、第２プレイリストの一例とを同一の時間軸で並べた図である。図１６Ｄは、図１６Ａに示した第１プレイリストと、実施の形態３に係る第２再生装置が生成する第２プレイリストの一例とを同一の時間軸で並べた図である。図１６Ｅ、図１６Ｆは、実施の形態３に係る第２再生装置が生成する第２プレイリストの一例である。
【発明を実施するための形態】
【０００９】
以下、この発明の実施の形態について、図面を参照しながら詳細に説明する。
実施の形態１．
【００１０】
実施の形態１に係る統合リスト提供装置１は、一例として、車両に搭載された再生システム２に適用されるものとして、以下説明する。
【００１１】
図１は、実施の形態１に係る統合リスト提供装置１が適用された再生システム２の構成を示すブロック図である。
再生システム２は、第１記録装置２１，第２記録装置２２、第１再生装置２３、第２再生装置２４、及び統合リスト提供装置１を備える。
【００１２】
第１記録装置２１は、記録部と読出し部を備える。記録部には、音楽データ又は映像データ等の再生可能データが記録されている。読出し部は、再生装置からの読み出し要求に応じて記録部に記録されている再生可能データを読み出す。第１記録装置２１は、複数の再生装置からの同時読み出しが不可能な記録装置である。ここで、同時読み出しが不可能とは、ある再生装置からの読み出し要求に応じて再生可能データを読み出している最中に、他の再生装置からの読み出し要求に応じて再生可能データを読み出すことができないことを意味している。第１記録装置２１は、例えば、ＣＤ（Ｃｏｍｐａｃｔ  Ｄｉｓｃ）メディア、ＤＶＤ（Ｄｉｇｉｔａｌ  Ｖｅｒｓａｔｉｌｅ  Ｄｉｓｃ）メディア等の光ディスクに記録された再生可能データを読み出す光学ディスクドライブ装置である。光学ディスクドライブ装置は、ドライブに内蔵されたスピンドルモータによって光ディスクを回転させ、ピックアップレンズが光ディスクの記録面上を光ディスクの半径方向に動くことで、光ディスクの再生可能データを読み出す。そのため、再生可能データを読み出す速度が遅く、複数の再生装置からの同時読み出し要求に応じることができない。第１記録装置２１は、複数の再生装置からの同時読み出しが不可能な記録装置であれば、上述の光学ディスクドライブ装置に限らず、例えば、ソフトウェア等の制御により、複数の再生装置からの同時読み出し要求を拒否する記録装置であっても良い。この場合、第１記録装置２１の記録部は、ＵＳＢメモリ等の可搬型記録媒体であっても、フラッシュメモリ等の記録装置内部に備え付けられた記録媒体であっても、また、インターネット、公衆回線等のネットワーク上に存在する記録媒体であっても良い。
以下、特に第１記録装置２１に記録された再生可能データを、第１再生可能データと称する。
【００１３】
第２記録装置２２は、記録部と読出し部を備える。記録部には、再生可能データが記録されている。読出し部は、再生装置からの読み出し要求に応じて記録部に記録されている再生可能データを読み出す。第２記録装置２２は、複数の再生装置からの同時読み出しが可能な記録装置である。第２記録装置２２は、例えば、メディア転送プロトコルに対応したスマートフォン等のポータブル端末の一部機能として動作するものであってもよい。また、第２記録装置２２は、再生装置の一部機能として動作するものであってもよい。この場合、第２記録装置２２の記録部は、表示装置内部に備え付けられたフラッシュメモリ等の記録媒体であっても、表示装置に接続されたＵＳＢメモリ等の可搬型記録媒体、インターネット、公衆回線等のネットワーク上に存在する記録媒体等の表示装置外部の記憶媒体であっても良い。
以下、特に第２記録装置２２に記録された再生可能データを、第２再生可能データと称する。
【００１４】
第１再生装置２３は、再生可能データを再生する再生装置である。第１再生装置２３は、後述する統合リスト提供装置１から取得した統合リスト又は後述する加工済み統合リストに基づいて、プレイリストを生成することができる。プレイリストとは、再生可能データを再生する順序を示す情報である。以下、第１再生装置２３を用いて生成されたプレイリストを第１プレイリストと称する。第１プレイリストは、所定のルールに従って、第１再生装置２３によって自動で生成されるものであっても、ユーザが第１再生装置２３を用いて統合リスト又は加工済み統合リストにある再生可能データのタイトル名等を選択することで、生成されるものであっても良い。
第１再生装置２３は、再生可能データの再生状況を示す再生情報を生成する。例えば、第１再生装置２３は、生成した第１プレイリストに従って再生される再生可能データの再生状況を示す再生情報を生成する。第１再生装置２３は、生成した再生情報を後述する統合リスト提供装置１に出力する。
再生情報には、少なくとも、再生される再生可能データを特定可能な情報が含まれる。再生可能データが、プレイリストに従って再生される場合、再生情報には、再生される再生可能データの再生順序を特定可能な情報も含まれる。
以下、特に第１再生装置２３が生成する再生情報を第１再生情報と称する。
【００１５】
第２再生装置２４は、再生可能データを再生する再生装置である。第２再生装置２４は、後述する統合リスト提供装置１から取得した統合リスト又は後述する加工済み統合リストに基づいて、プレイリストを生成することができる。以下、第２再生装置２４を用いて生成されたプレイリストを第２プレイリストと称する。第２プレイリストは、所定のルールに従って、第２再生装置２４によって自動で生成されるものであっても、ユーザが第２再生装置２４を用いて統合リスト又は加工済み統合リストにある再生可能データのタイトル名等を選択することで、生成されるものであっても良い。
第２再生装置２４は、再生可能データの再生状況を示す再生情報を生成する。例えば、第２再生装置２４は、生成した第２プレイリストに従って再生される再生可能データの再生状況を示す再生情報を生成する。第２再生装置２４は、生成した再生情報を後述する統合リスト提供装置１に出力する。以下、特に第２再生装置２４が生成する再生情報を第２再生情報と称する。
【００１６】
統合リスト提供装置１は、メタデータ取得部１１、リスト生成部１２、リスト提供部１３、再生情報取得部１４、及びリスト加工部１５を備える。
【００１７】
メタデータ取得部１１は、第１再生可能データを示すメタデータ、及び、第２再生可能データを示すメタデータを取得する。メタデータは、再生可能データを特定する情報を含んでいる。再生可能データを特定する情報とは、例えば、再生可能データのタイトル名を示す情報、アルバム名を示す情報、アーティスト名を示す情報、再生に要する時間を示す情報、又は、再生可能データの保存場所を示すディレクトリパス等の情報である。以下、特に第１再生可能データを示すメタデータを第１メタデータと称し、また、特に第２再生可能データを示すメタデータを第２メタデータと称する。
第１メタデータは、その一部又は全部が、第１記録装置２１に記録されているものであっても、インターネット、公衆回線等のネットワークを介して取得可能なＣＤＤＢ（登録商標）等の音楽データベースに記録されているものであっても良い。
第２メタデータは、その一部又は全部が、第２記録装置２２に記録されているものであっても、インターネット、公衆回線等のネットワークを介して取得可能なＣＤＤＢ（登録商標）等の音楽データベースに記録されているものであっても良い。
メタデータ取得部１１は、取得したメタデータをリスト生成部１２に出力する。
【００１８】
リスト生成部１２は、メタデータ取得部１１で取得した第１メタデータ及び第２メタデータに基づいて、当該第１メタデータ及び第２メタデータを統合した統合リストを生成する。統合リストは、メタデータに含まれる再生可能データを特定する情報の一部又は全部の他に、再生可能データが記録されている記録装置を特定する情報を含む。リスト生成部１２は、生成した統合リストをリスト提供部１３又はリスト加工部１５に出力する。
【００１９】
リスト提供部１３は、再生装置に統合リスト又は後述する加工済み統合リストを送信して提供する。具体的には、リスト提供部１３は、第１再生装置２３又は第２再生装置２４に、統合リスト又は加工済み統合リストを提供する。上述のとおり、第１再生装置２３では、統合リスト又は加工済み統合リストに基づいて第１プレイリストを生成することができ、また、第２再生装置２４では、統合リスト又は加工済み統合リストに基づいて第２プレイリストを生成することができる。
再生情報取得部１４は、再生装置で生成された再生情報を取得する。具体的には、再生情報取得部１４は、第１再生装置２３で生成された第１再生情報、又は、第２再生装置２４で生成された第２再生情報を取得する。
再生情報取得部１４は、取得した再生情報をリスト加工部１５に出力する。
【００２０】
リスト加工部１５は、再生情報取得部１４で取得した第１再生情報及び第２再生情報の少なくともいずれか一方に基づいて、前記統合リストを加工して加工済みの統合リスト（以下「加工済み統合リスト」という。）を生成する。リスト加工部１５は、再生情報取得部１４で取得した第１再生情報又は第２再生情報のいずれか一方に、第１再生可能データを再生することを示す情報が存在した場合、他方の再生情報を生成した再生装置における第１再生可能データの再生を制限するように、統合リストを加工する。
実施の形態１では、リスト加工部１５が第１再生可能データの再生を制限するように統合リストを加工する一例として、再生装置における第１メタデータの選択ができなくなるように統合リストを加工する例を示す。
第１メタデータの選択ができなくなるように統合リストを加工する方法としては、例えば、統合リストから第１メタデータを削除する方法がある。また、例えば、統合リストに第１メタデータが示す第１再生可能データの選択可否欄を設け、当該選択可否欄に選択不可の情報を付加する方法であっても良い。再生装置が自動でプレイリストを生成する場合、例えば、当該再生装置が選択不可の情報が付加されている第１再生可能データを選択しないように、ルールを設定すれば良い。ユーザが再生装置を用いてプレイリストを生成する場合、例えば、選択不可の情報が付加されている第１再生可能データについて、選択不可であることを表示するとともに、ユーザが当該第１再生可能データの選択操作を行っても選択が拒否されるように、再生装置を構成すれば良い。
リスト加工部１５は、生成した加工済み統合リストをリスト提供部１３に出力する。
【００２１】
再生システム２を構成する第１記録装置２１、第２記録装置２２、第１再生装置２３、第２再生装置２４、及び統合リスト提供装置１は、無線ＬＡＮ等の車内ネットワーク２５を直接又は間接的に介して、互いに接続されている。
【００２２】
図２は、実施の形態１に係る統合リスト提供装置１のハードウェア構成の一例を示す図である。
実施の形態１において、メタデータ取得部１１、リスト生成部１２、リスト提供部１３、再生情報取得部１４、及びリスト加工部１５の各機能は、処理回路２０１により実現される。すなわち、統合リスト提供装置１は、メタデータ取得部１１で取得したメタデータと、再生情報取得部１４で取得した再生情報に基づいて、生成された統合リスト又は加工された加工済み統合リストを、リスト提供部１３で送信するための処理回路２０１を備える。
処理回路２０１は、図２Ａに示すように専用のハードウェアであっても、図２Ｂに示すようにメモリ２０５に格納されるプログラムを実行するＣＰＵ（Ｃｅｎｔｒａｌ  Ｐｒｏｃｅｓｓｉｎｇ  Ｕｎｉｔ）２０６であっても良い。
【００２３】
処理回路２０１が専用のハードウェアである場合、処理回路２０１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、又はこれらを組み合わせたものが該当する。
【００２４】
処理回路２０１がＣＰＵ２０６の場合、メタデータ取得部１１、リスト生成部１２、リスト提供部１３、再生情報取得部１４、及びリスト加工部１５の各機能は、ソフトウェア、ファームウェア、又は、ソフトウェアとファームウェアとの組み合わせにより実現される。すなわち、メタデータ取得部１１、リスト生成部１２、リスト提供部１３、再生情報取得部１４、及びリスト加工部１５は、ＨＤＤ（Ｈａｒｄ  Ｄｉｓｋ  Ｄｒｉｖｅ）２０２、メモリ２０５等に記憶されたプログラムを実行するＣＰＵ２０６、又はシステムＬＳＩ（Ｌａｒｇｅ−Ｓｃａｌｅ  Ｉｎｔｅｇｒａｔｉｏｎ）等の処理回路により実現される。また、ＨＤＤ２０２、又はメモリ２０５等に記憶されたプログラムは、メタデータ取得部１１、リスト生成部１２、リスト提供部１３、再生情報取得部１４、及びリスト加工部１５における各手順、すなわち、メタデータ取得手順、リスト生成手順、リスト提供手順、再生情報取得手順、及びリスト加工手順をコンピュータに実行させるものであるとも言える。ここで、メモリ２０５とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の、不揮発性もしくは揮発性の半導体メモリ、磁気ディスク、フレキシブルディスク、光ディスク、コンパクトディスク、ミニディスク、又はＤＶＤ（Ｄｉｇｉｔａｌ  Ｖｅｒｓａｔｉｌｅ  Ｄｉｓｃ）等が該当する。
【００２５】
なお、メタデータ取得部１１、リスト生成部１２、リスト提供部１３、再生情報取得部１４、及びリスト加工部１５の各機能について、一部を専用のハードウェアで実現し、一部をソフトウェア又はファームウェアで実現するようにしても良い。例えば、メタデータ取得部１１、及びリスト生成部１２については、専用のハードウェアとしての処理回路２０１でその機能を実現し、リスト提供部１３、再生情報取得部１４、及びリスト加工部１５については、処理回路がメモリ２０５に格納されたプログラムを読み出して実行することによってその機能を実現することができる。
また、統合リスト提供装置１は、第１記録装置２１、第２記録装置２２、第１再生装置２３、及び第２再生装置２４との通信を行うための、入力インタフェース装置２０３及び出力インタフェース装置２０４を有する。
なお、以上の説明では、統合リスト提供装置１のハードウェア構成について、図２Ｂに示すように、ＨＤＤ２０２を使用するものとして説明したが、ＨＤＤ２０２に代えて、ＳＳＤ（Ｓｏｌｉｄ  Ｓｔａｔｅ  Ｄｒｉｖｅ）を使用するものであっても良い。
【００２６】
図３Ａ、図３Ｂ、及び図３Ｃは、再生システム２が車両に搭載された場合の一例である。
統合リスト提供装置１は、例えば、図３Ａ、図３Ｂ、及び図３Ｃのように、カーナビゲーションシステムの一部機能として動作するようにしても良い。
第１再生装置２３は、例えば、図３Ａ、及び図３Ｂのように、カーナビゲーションシステムの一部機能として動作するようにしても良い。また、第１再生装置２３は、図３Ｃのようにリアエンターテイメントシステムの一部機能として動作するようにしても良い。また、図には示していないが、第１再生装置２３は、車内に持ち込まれたタブレット端末の一部機能として、又はスマートフォン等の一部機能として動作するようにしても良い。
第２再生装置２４は、例えば、図３Ａのようにリアエンターテイメントシステムの一部機能として動作するようにしても良い。また、第２再生装置２４は、図３Ｂ及び図３Ｃのように車内に持ち込まれたタブレット端末の一部機能として、又はスマートフォン等の一部機能として動作するようにしても良い。また、第２再生装置２４は、図には示していないが、カーナビゲーションシステムの一部機能として動作ようにしても良い。
第１記録装置２１は、例えば、図３Ａのようにカーナビゲーションシステムの一部機能として動作するようにしても良い。また、第１記録装置２１は、図３Ｂのように車内に持ち込まれたタブレット端末の一部機能として、又はスマートフォン等の一部機能として動作するようにしても良い。また、第１記録装置２１は、図３Ｃのようにリアエンターテイメントシステムの一部機能として動作するようにしても良い。
第２記録装置２２は、例えば、図３Ｂのようにカーナビゲーションシステムの一部機能として動作するようにしても良い。また、第２記録装置２２は、図３Ｃのように車内に持ち込まれたタブレット端末の一部機能として、又はスマートフォン等の一部機能として動作するようにしても良い。
以上は、再生システム２が車両に搭載された場合の一例に過ぎず、再生システム２の構成は、これらの例に限定されるものではない。
【００２７】
動作について説明する。
図４は、実施の形態１に係る統合リスト提供装置１の動作開始時についての処理を説明するフローチャートである。以下、実施の形態１に係る統合リスト提供装置１の動作開始時についての処理を、当該フローチャートを用いて説明する。
【００２８】
例えば、カーナビゲーションシステムの電源投入等により、統合リスト提供装置１の動作が開始されると、メタデータ取得部１１は、車内ネットワーク２５に再生可能データが記録された記録装置が存在するか否かを判定する（ステップＳＴ１）。実施の形態１に係る統合リスト提供装置１の動作の説明では、一例として、第１記録装置２１及び第２記録装置２２が車内ネットワーク２５に存在している場合について説明する。
車内ネットワーク２５に再生可能データが記録された記録装置が存在しない場合（ステップＳＴ１：ＮＯ）、統合リスト提供装置１は、図４に示したフローチャートの処理を終了する。
車内ネットワーク２５に再生可能データが記録された記録装置が存在した場合（ステップＳＴ１：ＹＥＳ）、メタデータ取得部１１は、車内ネットワーク２５に存在する記録装置に記録された再生可能データに対応するメタデータを取得する。すなわち、実施の形態１に係る再生システム２において、メタデータ取得部１１は、第１再生可能データに対応する第１メタデータと、第２再生可能データに対応する第２メタデータとを取得する（ステップＳＴ２）。
リスト生成部１２は、第１メタデータと第２メタデータに基づいて、統合リストを生成する（ステップＳＴ３）。その後、統合リスト提供装置１は、図４に示したフローチャートの処理を終了する。
【００２９】
図５は、実施の形態１に係る統合リスト提供装置１が、図４で示した動作開始時についての処理を実行した際に生成した統合リストの一例である。統合リストには各再生可能データに関する、例えば、タイトル名、アーティスト名、アルバム名、保存場所、記録装置をそれぞれ示す情報、及び、第１再生可能データの選択可否を示す情報が存在する。図５に示した統合リストは、タイトル名がタイトルＴ１３からタイトルＴ１８までの６個の第１再生可能データが第１記録装置２１に記録され、タイトル名がタイトルＴ１からタイトルＴ１２までの１２個の第２再生可能データが第２記録装置２２に記録されていた場合の例である。
【００３０】
図６は、実施の形態１に係る統合リスト提供装置１において、図４に示したフローチャートの処理が終了してから、車内ネットワーク２５に存在する複数の再生装置のいずれかが、プレイリストを生成し終えるまでの処理を説明するフローチャートである。実施の形態１では、第１再生装置２３における第１プレイリストが第２再生装置２４における第２プレイリストよりも先に生成される場合を例にとって説明する。統合リスト提供装置１は、第１再生装置２３が第１プレイリストを生成し終えるまでの間、図６に示したフローチャートに示した処理を繰り返し実行する。
以下、実施の形態１に係る統合リスト提供装置１における、図４に示したフローチャートの処理が終了してから、第１再生装置２３が第１プレイリストを生成し終えるまでの処理について、図６に示したフローチャートを用いて説明する。
【００３１】
メタデータ取得部１１は、車内ネットワーク２５に再生可能データが記録された新たな記録装置が存在するか否かを判定する（ステップＳＴ１１）。
車内ネットワーク２５に再生可能データが記録された新たな記録装置が存在しない場合（ステップＳＴ１１：ＮＯ）、統合リスト提供装置１は、後述するステップＳＴ１４の処理に移行する。
車内ネットワーク２５に再生可能データが記録された新たな記録装置が存在した場合（ステップＳＴ１１：ＹＥＳ）、メタデータ取得部１１は、車内ネットワーク２５に存在する新たな記録装置に記録された再生可能データに対応するメタデータを取得する（ステップＳＴ１２）。
リスト生成部１２は、既に生成した統合リストと、新たに取得したメタデータとに基づいて、新たに統合リストを生成する（ステップＳＴ１３）。
【００３２】
リスト提供部１３は、車内ネットワーク２５に存在する再生装置から統合リストが要求されたか否か判定する（ステップＳＴ１４）。
車内ネットワーク２５に存在する再生装置から統合リストが要求されていない場合（ステップＳＴ１４：ＮＯ）、統合リスト提供装置１は、図６に示したフローチャートの処理を終了する。
車内ネットワーク２５に存在する再生装置から統合リストが要求された場合（ステップＳＴ１４：ＹＥＳ）、リスト提供部１３は、要求のあった再生装置に統合リストを送信する（ステップＳＴ１５）。上述のとおり実施の形態１では、第１再生装置２３における第１プレイリストが第２再生装置２４における第２プレイリストよりも先に生成される場合を例にとって説明している。そのため、実施の形態１に係る統合リスト提供装置１は、ステップＳＴ１４では、第１再生装置２３から統合リストを要求され、ステップＳＴ１５では、第１再生装置２３に対して統合リストを送信する。
第１再生装置２３は、統合リスト提供装置１から取得した統合リストに基づいて、第１プレイリストを生成する。第１再生装置２３は、生成した第１プレイリストに従って再生される再生可能データの再生状況を示す第１再生情報を生成する。
【００３３】
再生情報取得部１４は、再生装置から再生情報を取得する（ステップＳＴ１６）。上述のとおり実施の形態１では、第１再生装置２３における第１プレイリストが第２再生装置２４における第２プレイリストよりも先に生成される場合を例にとって説明している。そのため、実施の形態１に係る統合リスト提供装置１は、ステップＳＴ１６では、第１再生装置２３から第１再生情報を取得する。
【００３４】
リスト加工部１５は、再生情報に第１再生可能データを示す情報が存在するか否か判定する（ステップＳＴ１７）。上述のとおり実施の形態１では、第１再生装置２３における第１プレイリストが第２再生装置２４における第２プレイリストよりも先に生成される場合を例にとって説明している。そのため、実施の形態１に係る統合リスト提供装置１は、ステップＳＴ１７では、第１再生情報に第１再生可能データを示す情報が存在するか否かを判定する。
第１再生情報に第１再生可能データを示す情報が存在しない場合（ステップＳＴ１７：ＮＯ）、統合リスト提供装置１は、図６に示したフローチャートの処理を終了する。
第１再生情報に第１再生可能データを示す情報が存在した場合（ステップＳＴ１７：ＹＥＳ）、リスト加工部１５は、第１再生装置２３以外の再生装置が第１メタデータを選択できなくなるように、統合リストを加工する（ステップＳＴ１８）。その後、図６に示したフローチャートの処理を終了する。
【００３５】
図７Ａは、実施の形態１に係る統合リスト提供装置１が、図６で示したフローチャートのステップＳＴ１６において取得する第１再生情報の一例である。
第１再生情報は、第１プレイリストに従って再生される再生可能データを特定可能な情報と、第１プレイリストに従って再生される再生可能データの再生順序を特定可能な情報を含んでいる。図７Ａに示した第１再生情報には、第１プレイリストで再生される再生順序の３番目に第１再生可能データを示すタイトルＴ１５の情報が存在している。
図７Ｂは、実施の形態１に係る統合リスト提供装置１が、図６で示したフローチャートのステップＳＴ１８の処理で生成した、加工済み統合リストの一例である。
図７Ａに示したように、第１再生情報に第１再生可能データを示す情報が存在していたため、図７Ｂに示した加工済み統合リストは、全ての第１再生可能データの選択が不可となっている。また、図７Ｂに示した加工済み統合リストには、第１再生可能データを再生予定の再生装置、すなわち、第１再生装置２３を示す情報が含まれている。
【００３６】
図８は、実施の形態１に係る統合リスト提供装置１において、図６に示したフローチャートの処理が終了してから、図６に示したフローチャートの説明においてプレイリストを生成した再生装置以外の再生装置が、プレイリストを生成し終えるまでの処理を説明するフローチャートである。上述のとおり実施の形態１では、第１再生装置２３における第１プレイリストが第２再生装置２４における第２プレイリストよりも先に生成される場合を例にとって説明している。そのため、図８は、実施の形態１に係る統合リスト提供装置１において、図６に示したフローチャートの処理が終了してから、第２再生装置２４が第２プレイリストを生成し終えるまでの処理を示したフローチャートである。統合リスト提供装置１は、第２再生装置２４が第２プレイリストを生成し終えるまでの間、図８に示したフローチャートに示した処理を繰り返し実行する。
以下、実施の形態１に係る統合リスト提供装置１における、図６に示したフローチャートの処理が終了してから、第２再生装置２４が第２プレイリストを生成し終えるまでの処理について、図８に示したフローチャートを用いて説明する。
【００３７】
図８のステップＳＴ２１からステップＳＴ２４までの処理は、図６のステップＳＴ１１からステップＳＴ１４までの処理と同様であり、重複する説明を省略する。
車内ネットワーク２５に存在する再生装置から統合リストが要求されていない場合（ステップＳＴ２４：ＮＯ）、統合リスト提供装置１は、図８に示したフローチャートの処理を終了する。
車内ネットワーク２５に存在する再生装置から統合リストが要求された場合（ステップＳＴ２４：ＹＥＳ）、リスト提供部１３は、要求のあった再生装置に統合リスト又は加工済み統合リストを送信して提供する。第１再生装置２３は第１プレイリストを既に生成済みであるため、第２再生装置２４が統合リストを要求した場合について説明する。この場合、リスト提供部１３は、第２再生装置２４に対して図７Ｂに示した図６のステップＳＴ１８で生成した加工済み統合リストを送信する（ステップＳＴ２５）。
第２再生装置２４は、統合リスト提供装置１から取得した加工済み統合リストに基づいて、第２プレイリストを生成する。第２再生装置２４は、生成した第２プレイリストに従って再生される再生可能データの再生状況を示す第２再生情報を生成する。
【００３８】
再生情報取得部１４は、再生装置から再生情報を取得する（ステップＳＴ２６）。ここでは、再生情報取得部１４は、第２再生装置２４から第２再生情報を取得する。
リスト加工部１５は、第２再生情報に第１再生可能データを示す情報が存在するか否か判定する（ステップＳＴ２７）。
第２再生情報に第１再生可能データを示す情報が存在しない場合（ステップＳＴ２７：ＮＯ）、統合リスト提供装置１は、図８に示したフローチャートの処理を終了する。
第２再生情報に第１再生可能データを示す情報が存在した場合（ステップＳＴ２７：ＹＥＳ）、リスト加工部１５は、第２再生装置２４以外の再生装置が第１メタデータを選択できなくなるように、統合リストを加工する（ステップＳＴ２８）。その後、図８に示したフローチャートの処理を終了する。
ここで、ステップＳＴ２５において統合リスト提供装置１が第２再生装置２４に送信した加工済み統合リストは、図７Ｂに示したとおり、第１メタデータを選択できなくなっている。そのため、ステップＳＴ２６において統合リスト提供装置１が第２再生装置２４から取得した第２再生情報には第１再生可能データを示す情報が存在しない。すなわち、ステップＳＴ２７は“ＮＯ”となり、統合リスト提供装置１は、図８に示したフローチャートの処理を終了することになり、ステップＳＴ２８における処理が実行されることはない。
【００３９】
以上のように、統合リスト提供装置１は、複数の再生装置からの同時読み出しが不可能な第１記録装置２１に記録された第１再生可能データを示す第１メタデータと、複数の再生装置からの同時読み出しが可能な第２記録装置２２に記録された第２再生可能データを示す第２メタデータと、を取得するメタデータ取得部１１と、メタデータ取得部１１が取得した第１及び第２メタデータが統合されたリストであって、複数の再生装置における各再生装置が第１又は第２再生可能データのうち再生するデータを選択するために参照する統合リスト、を生成するリスト生成部１２と、各再生装置から第１又は第２再生可能データの再生状況を示す再生情報を取得する再生情報取得部１４と、再生情報取得部が複数の再生装置における１つの再生装置から取得した再生情報中に、第１再生可能データを示す情報が存在した場合、統合リストを加工して、複数の再生装置における他の再生装置による第１再生可能データの再生を制限するための加工済み統合リストを生成するリスト加工部１５と、リスト加工部１５が生成した加工済み統合リストを他の再生装置に提供するリスト提供部１３と、を備えた。
【００４０】
このように構成することで、複数の再生装置からの同時に読み出しが不可能な記録装置に記録された再生可能データを、複数の再生装置間で再生可能に共有するための統合リスト提供装置１を提供することができる。
実施の形態１では、各再生装置がプレイリストを生成し、生成したプレイリストに従って各再生装置が再生可能データを再生する例を示したが、この構成に限るものではない。統合リスト提供装置１は、１つの再生装置が再生している再生可能データの再生状況を示す再生情報を取得することで、加工済み統合リストを生成することが可能である。すなわち、１つの再生装置が第１再生可能データを再生中の場合、統合リスト提供装置１は、他の再生装置が第１再生可能データを再生することを制限するための情報を提供できる。
【００４１】
次に、実施の形態１の変形例について説明する。
実施の形態１の変形例では、これまで説明した実施の形態１の再生情報に、再生装置が生成したプレイリストの再生進捗状況を示す再生進捗状況情報が追加される。実施の形態１の変形例における再生進捗状況情報とは、プレイリストに従って再生される全ての第１再生可能データの再生が終了したか否かが少なくとも判定可能な情報である。
図９Ａ及び図９Ｂは、実施の形態１の変形例に係る統合リスト提供装置１が取得する第１再生情報の一例である。図９Ａ及び図９Ｂは、図７Ａに示した第１再生情報に、第１再生装置２３における第１プレイリストの再生進捗状況情報を付加したものである。以下、第１再生情報に付加される再生進捗状況情報を第１再生進捗状況情報と称する。図９Ａは、再生順序における３番目の再生可能データが９８％まで再生された状態を示している。図９Ｂは、再生順序における４番目の再生可能データが２％まで再生された状態を示している。
【００４２】
動作について説明する。
実施の形態１の変形例に係る統合リスト提供装置１の動作は、図４及び図６に示した実施の形態１に係る統合リスト提供装置１における動作と同様であるため、説明を省略する。
【００４３】
図１０は、実施の形態１の変形例に係る統合リスト提供装置１において、図６に示したフローチャートの処理が終了してから、第２再生装置２４が第２プレイリストの生成を終えるまでの処理を説明するフローチャートである。実施の形態１の変形例に係る統合リスト提供装置１の動作と、実施の形態１に係る統合リスト提供装置１の動作との違いは、図８に示したステップＳＴ２４とステップＳＴ２５との間に、図１０に示したステップＳＴ３１からステップＳＴ３３までの処理が追加されている点である。実施の形態１の変形例に係る統合リスト提供装置１は、第２再生装置２４が第２プレイリストを生成し終えるまでの間、図１０に示したフローチャートに示した処理を繰り返し実行する。
以下、実施の形態１の変形例に係る統合リスト提供装置１における、図６に示したフローチャートの処理が終了してから、第２再生装置２４が第２プレイリストの生成を終えるまでの処理について、図１０に示したフローチャートを用いて説明する。
【００４４】
図１０のステップＳＴ２１からステップＳＴ２４までの処理は、図８のステップＳＴ２１からステップＳＴ２４までの処理と同様であり、重複する説明を省略する。
以下、第１再生装置２３は第１プレイリストを既に生成済みであるため、第２再生装置２４が統合リストを要求した場合について説明する。
【００４５】
車内ネットワーク２５に存在する再生装置から統合リストが要求された場合（ステップＳＴ２４：ＹＥＳ）、すなわち、第２再生装置２４から統合リストが要求された場合、再生情報取得部１４は、第１再生装置２３から第１再生情報を取得する（ステップＳＴ３１）。
リスト加工部１５は、第１再生情報に含まれる第１再生進捗状況情報に基づいて、第１再生装置２３が第１プレイリストにおける第１再生可能データを既に再生済みであるか否かを判定する（ステップＳＴ３２）。
第１再生情報が、図９Ａのように、いずれかの第１再生可能データが未だ再生済みでないことを示していた場合（ステップＳＴ３２：ＮＯ）、統合リスト提供装置１は、後述のステップＳＴ２５の処理に移行する。
第１再生情報が、図９Ｂのように、全ての第１再生可能データが既に再生済みであることを示していた場合（ステップＳＴ３２：ＹＥＳ）、リスト加工部１５は、加工済み統合リストを、加工前の統合リストに戻すように加工する。すなわち、図７Ｂに示した加工済み統合リストの状態から、図５に示した統合リストの状態に戻すように加工する（ステップＳＴ３３）。その後、実施の形態１の変形例に係る統合リスト提供装置１は、後述のステップＳＴ２５の処理に移行する。
【００４６】
リスト提供部１３は、要求のあった再生装置に統合リスト又は加工済み統合リストを送信する。すなわち、リスト提供部１３は、第２再生装置２４に対して、図５に示した統合リスト又は図７Ｂに示した加工済み統合リストを送信する（ステップＳＴ２５）。
第２再生装置２４は、統合リスト提供装置１から取得した加工済み統合リストに基づいて、第２プレイリストを生成する。第２再生装置２４は、生成した第２プレイリストに従って再生される再生可能データの再生状況を示す第２再生情報を生成する。
再生情報取得部１４は、再生装置から再生情報を取得する（ステップＳＴ２６）。ここでは、再生情報取得部１４は、第２再生装置２４から第２再生情報を取得する。
リスト加工部１５は、第２再生情報に第１再生可能データを示す情報が存在するか否か判定する（ステップＳＴ２７）。
【００４７】
第２再生装置２４に対して図７Ｂに示したような加工済み統合リストが送信された場合、第２再生装置２４は第２プレイリストを生成する際に第１メタデータを選択できなくなっている。そのため、第２再生情報には第１再生可能データを示す情報が存在しない。すなわち、ステップＳＴ２７は“ＮＯ”となり、実施の形態１の変形例に係る統合リスト提供装置１は、図１０に示したフローチャートの処理を終了する。
【００４８】
第２再生装置２４に対して図５に示したような統合リストが送信された場合、第２再生装置２４は第２プレイリストを生成する際に第１メタデータを選択できるようになっている。
第２再生情報に第１再生可能データを示す情報が存在しない場合（ステップＳＴ２７：ＮＯ）、実施の形態１の変形例に係る統合リスト提供装置１は、図１０に示したフローチャートの処理を終了する。
図１１Ａは、実施の形態１の変形例に係る統合リスト提供装置１が、図１０で示したフローチャートのステップＳＴ２６において取得する第２再生情報の一例である。第２再生情報は、第２プレイリストに従って再生される再生可能データの再生順序を示す情報を含んでいる。図１１Ａに示した第２再生情報には、再生順序の４番目に第１再生可能データを示すタイトルＴ１３の情報が存在している。第２再生情報に第１再生可能データを示す情報が存在する場合、ステップＳＴ２７は“ＹＥＳ”となる。
第２再生情報に第１再生可能データを示す情報が存在する場合（ステップＳＴ２７：ＹＥＳ）、リスト加工部１５は、第１メタデータを第２再生装置２４以外の再生装置が選択できなくなるように、統合リストを加工する（ステップＳＴ２８）。その後、実施の形態１の変形例に係る統合リスト提供装置１は、図１０に示したフローチャートの処理を終了する。
【００４９】
図１１Ｂは、実施の形態１の変形例に係る統合リスト提供装置１が、図１０で示したフローチャートのステップＳＴ２８の処理で加工した、加工済み統合リストの一例である。同ステップＳＴ２７において、第２再生情報に第１再生可能データを示す情報が存在していたため、図１１Ｂに示した加工済み統合リストでは、第１再生可能データの選択が不可となっている。また、図１１Ｂに示した加工済み統合リストには、第１再生可能データを再生予定の再生装置を示す情報が含まれている。
【００５０】
このように、リスト加工部１５が、全ての第１再生可能データが再生装置において既に再生済みである場合に、加工済み統合リストを、加工前の統合リストに戻す加工をするように構成することで、他の再生装置がプレイリストを生成する際に、実施の形態１に係る第２再生装置２４の場合と比較して、第１再生可能データをより早く選択できる。
実施の形態１の変形例では、統合リスト提供装置１は、第２再生装置２４から統合リストの要求があった場合に、第１再生情報を取得するようにした形態を説明したが、この限りではない。例えば、任意のタイミングで統合リスト提供装置１が第１再生情報を取得し、全ての第１再生可能データが再生装置において既に再生済みである場合に、加工済み統合リストを加工前の状態に戻すように適宜加工するようにしても良い。
実施の形態１の変形例では、各再生装置がプレイリストを生成し、生成したプレイリストに従って各再生装置が再生可能データを再生する例を示したが、この構成に限るものではない。統合リスト提供装置１は、１つの再生装置が再生している再生可能データの再生状況を示す再生情報を取得することで、加工済み統合リストを生成することが可能である。すなわち、１つの再生装置が第１再生可能データを再生中の場合、統合リスト提供装置１は、１つの再生装置が第１再生可能データの再生を終了するまでの間、他の再生装置が第１再生可能データを再生することを制限するための情報を提供できる。
【００５１】
実施の形態２．
実施の形態１では、リスト加工部１５は、複数の再生装置のうち１つの再生装置が生成した再生情報に第１再生可能データを示す情報が存在した場合、第１メタデータを当該１つの再生装置以外の再生装置が選択できなくなるように統合リストを加工して、加工済み統合リストを生成するようにしていた。
実施の形態２では、リスト加工部１５は、再生装置で生成されたプレイリストに従った再生進捗状況を示す再生進捗状況情報に基づいて、プレイリストにおける第１再生可能データの再生予定期間を算出し、統合リストに含めるように加工して、加工済み統合リストを生成する。
【００５２】
実施の形態２に係る再生システム２の構成は、実施の形態１において図１を用いて説明した構成と同様であるため、重複した説明を省略し、異なる動作を行う構成要素のみ説明する。
【００５３】
再生装置が生成する再生情報には、再生情報生成時点のプレイリストにおける再生位置を示す再生進捗状況情報が含まれている。実施の形態２における再生位置を示す再生進捗状況情報とは、プレイリストの全再生期間全体における現在までの再生期間を示す情報、現在再生している再生可能データにおける現在までの再生期間を示す情報等の、プレイリストにおける現在再生している時間的位置を示す情報である。
図１２Ａは、実施の形態２に係る統合リスト提供装置１が第１再生装置２３から取得する第１再生情報の一例である。図１２Ａは、再生順序の１番目の再生可能データが２０％まで再生された状態を示している。また、図１２Ａは、再生順序の３番目に第１再生可能データを示すタイトルＴ１５の情報が存在していることを示している。
【００５４】
リスト加工部１５は、再生進捗状況情報を含む再生情報と、プレイリストに従って再生される各再生可能データの再生に要する時間とに基づいて、プレイリストにおける第１再生可能データの再生予定期間を算出する。再生予定期間とは、再生装置が再生可能データの再生を開始する予定時刻から、再生を終了する予定時刻までの期間であり、再生を開始及び終了する時刻の情報、再生を開始する時刻及び再生を開始してから終了するまでの時間間隔の情報等である。また、時刻は、例えば標準時に基づく時刻を示す情報であっても、リスト加工部１５が加工済み統合リストを生成した時刻を基準とした相対的な時刻を示す情報であっても良い。各再生可能データの再生に要する時間は、例えば、メタデータ取得部１１が取得したメタデータに含まれる情報を参照することで得られる。
リスト加工部１５は、加工済み統合リストに、算出した第１再生可能データの再生予定期間が含められるように、統合リストを加工する。
図１２Ｂは、実施の形態２に係る統合リスト提供装置１が図１２Ａに示した再生情報に基づいて統合リストを加工して生成した、加工済み統合リストの一例である。図１２Ｂは、第１再生装置２３が、リスト加工部１５が加工済み統合リストを生成した時刻を基準として９分２０秒後から１４分５０秒後までの期間において、再生順序の３番目にあるタイトルＴ１５を再生する予定であることを示している。タイトルＴ１５は、第１再生可能データである。
【００５５】
実施の形態２に係る統合リスト提供装置１のハードウェア構成については、実施の形態１において図２Ａ，図２Ｂを用いて説明したハードウェア構成と同様であるため、説明を省略する。
【００５６】
動作について説明する。
実施の形態２に係る統合リスト提供装置１の動作開始時の動作は、図４を用いて説明した実施の形態１に係る統合リスト提供装置１の動作開始時の動作と同様であるため、説明を省略する。
【００５７】
図１３は、実施の形態２に係る統合リスト提供装置１において、図４に示したフローチャートの処理が終了してから、第１再生装置２３が第１プレイリストを生成し終えるまでの処理を説明するフローチャートである。実施の形態２に係る統合リスト提供装置１は、第１再生装置２３が第１プレイリストを生成し終えるまでの間、図１３に示したフローチャートに示した処理を繰り返し実行する。
以下、実施の形態２に係る統合リスト提供装置１における、図４に示したフローチャートの処理が終了してから、第１再生装置２３が第１プレイリストを生成し終えるまでの動作について、図１３に示したフローチャートを用いて説明する。
【００５８】
図１３のステップＳＴ４１からステップＳＴ４７までの処理は、実施の形態１に係る統合リスト提供装置１の動作を説明するために用いた図６のステップＳＴ１１からステップＳＴ１７までの処理と同様であるため、説明を省略する。
【００５９】
図１２Ａで示したように第１再生情報に第１再生可能データを示す情報が存在した場合（ステップＳＴ４７：ＹＥＳ）、リスト加工部１５は、再生情報に含まれた再生進捗状況情報に基づいて、第１プレイリストにおける第１再生可能データの再生予定期間を算出し、当該再生予定期間が加工済み統合リストに含められるように統合リストを加工する（ステップＳＴ４８）。すなわち、図１２Ａで示した第１再生情報に基づいて、統合リストを図１２Ｂに示したような加工済み統合リストになるように加工する。その後、実施の形態２に係る統合リスト提供装置１は、図１３に示したフローチャートの処理を終了する。
【００６０】
図１４は、実施の形態２に係る統合リスト提供装置１において、図１３に示したフローチャートの処理が終了してから、第２再生装置２４が第２プレイリストを生成し終えるまでの処理を説明するフローチャートである。実施の形態２に係る統合リスト提供装置１は、第２再生装置２４が第２プレイリストを生成し終えるまでの間、図１４に示したフローチャートに示した処理を繰り返し実行する。
以下、実施の形態２に係る統合リスト提供装置１における、図１３に示したフローチャートの処理が終了してから、第２再生装置２４が第２プレイリストを生成し終えるまでの動作について、図１４に示したフローチャートを用いて説明する。
【００６１】
図１４のステップＳＴ５１からステップＳＴ５４までの処理は、実施の形態１の変形例を説明するために用いた図１０のステップＳＴ２１からステップＳＴ２４までの処理と同様であるため、重複する説明を省略する。
以下、第１再生装置２３は第１プレイリストを既に生成済みであるため、第２再生装置２４が統合リストを要求した場合について説明する。
【００６２】
車内ネットワーク２５に存在する再生装置から統合リストが要求されていない場合（ステップＳＴ５４：ＮＯ）、すなわち、第２再生装置２４から統合リストが要求されていない場合、実施の形態２に係る統合リスト提供装置１は、図１４に示したフローチャートの処理を終了する。
車内ネットワーク２５に存在する再生装置から統合リストが要求された場合（ステップＳＴ５４：ＹＥＳ）、すなわち、第２再生装置２４から統合リストが要求された場合、再生情報取得部１４は第１再生装置２３から第１再生情報を取得する（ステップＳＴ５５）。
リスト加工部１５は、図１２Ａに示したような第１再生情報と、第１プレイリストに従って再生される各再生可能データの再生に要する時間とに基づいて、第１再生可能データの再生予定期間を算出し、当該再生予定期間が加工済み統合リストに含められるように統合リストを加工する（ステップＳＴ５６）。
リスト提供部１３は、要求のあった再生装置に加工済み統合リストを送信して提供する。すなわち、リスト提供部１３は、第２再生装置２４に対して図１２Ｂに示したような加工済み統合リストを送信する（ステップＳＴ５７）。
第２再生装置２４は、統合リスト提供装置１から取得した加工済み統合リストに基づいて、第２プレイリストを生成する。第２再生装置２４は、生成した第２プレイリストに従って再生される再生可能データの再生状況を示す第２再生情報を生成する。
【００６３】
再生情報取得部１４は、第２再生装置２４から第２再生情報を取得する（ステップＳＴ５８）。
リスト加工部１５は、第２再生情報に第１再生可能データを示す情報が存在するか否か判定する（ステップＳＴ５９）。
第２再生情報に第１再生可能データを示す情報が存在しない場合（ステップＳＴ５９：ＮＯ）、統合リスト提供装置１は、図１４に示したフローチャートの処理を終了する。
【００６４】
上述のように、実施の形態２に係る第２再生装置２４は、図１３のステップＳＴ４８で生成された加工済み統合リストに基づいて、第２プレイリストを生成する。加工済み統合リストには、第１プレイリストにおける第１再生可能データの再生予定期間を示す情報が含まれている。第２再生装置２４は、第１再生可能データの再生を伴う第２プレイリストを生成する際に、第１プレイリストにおける第１再生可能データの再生予定期間と、第２プレイリストにおける第１再生可能データの再生期間が重複しないように、第２プレイリストを生成する。
すなわち、加工済み統合リストに含まれた第１再生可能データの再生予定期間を示す情報は、第２再生装置２４において第１再生可能データを再生する期間を制限するための情報である。
第２再生装置２４は、第２プレイリスト生成後に第２再生情報を生成する。
図１５Ａは、実施の形態２に係る統合リスト提供装置１が、第２再生装置２４から取得する第２再生情報の一例である。図１５Ａに示した第２再生情報には、第２プレイリストに従った再生順序の１番目に再生される第１再生可能データを示すタイトルＴ１７の情報と、４番目に再生される第１再生可能データを示すタイトルＴ１３の情報とが存在している。また、図１５Ａに示した第２再生情報には、第２プレイリストの再生状況を示す第２再生進捗状況情報が含まれる。
【００６５】
図１５Ａに示した第２再生情報のように、第２再生情報に第１再生可能データを示す情報が存在する場合（ステップＳＴ５９：ＹＥＳ）、リスト加工部１５は、ステップＳＴ４８において生成された加工済み統合リストを、後述する図１５Ｂに示したような加工済み統合リストになるように加工する（ステップＳＴ６０）。その後、統合リスト提供装置１は、図１４に示したフローチャートの処理を終了する。
図１５Ｂは、実施の形態２に係る統合リスト提供装置１が、図１５Ａに示した再生情報に基づいて、図１４に示したステップＳＴ６０で生成した、加工済み統合リストの一例である。図１５Ｂは、第１再生装置２３が、タイトルＴ１５という第１再生可能データを、リスト加工部１５が加工済み統合リストを生成した時刻を基準として７分１０秒後から１２分４０秒後までの期間において再生する予定であることを示している。また図１５Ｂは、第２再生装置２４が、タイトルＴ１３及びタイトルＴ１７という第１再生可能データを、それぞれリスト加工部１５が加工済み統合リストを生成した時刻を基準として１４分３０秒後から１９分００秒後までの期間及び現在時点から４分１０秒後までの期間において、再生する予定であることを示している。
【００６６】
実施の形態２に係る第２再生装置２４をこのように構成することで、複数の再生装置からの同時に読み出しが不可能な記録装置に記録された再生可能データを、複数の再生装置間で再生可能に共有するための再生システム２を提供することができる。
実施の形態２では、統合リスト提供装置１は、第２再生装置２４から統合リストの要求があった場合に、第１再生情報を取得するようにした形態を説明したが、この限りではない。例えば、任意のタイミングで統合リスト提供装置１が第１再生情報を取得し、適宜加工するようにしても良い。
実施の形態２では、各再生装置がプレイリストを生成し、生成したプレイリストに従って各再生装置が再生可能データを再生する例を示したが、この構成に限るものではない。統合リスト提供装置１は、１つの再生装置が再生している再生可能データの再生状況を示す再生情報を取得することで、加工済み統合リストを生成することが可能である。すなわち、１つの再生装置が第１再生可能データを再生中の場合、統合リスト提供装置１は、１つの再生装置が第１再生可能データの再生を終了するまでの間、他の再生装置が第１再生可能データを再生することを制限するための情報を提供できる。
【００６７】
実施の形態３．
実施の形態３に係る再生システム２の構成は、実施の形態１において図１を用いて説明した構成と同様であるため、重複した説明を省略し、異なる動作を行う構成要素のみ説明する。
実施の形態３に係る統合リスト提供装置１のハードウェア構成については、実施の形態１において図２Ａ，図２Ｂを用いて説明したハードウェア構成と同様であるため、説明を省略する。
実施の形態３に係る統合リスト提供装置１の動作については、実施の形態２において図１３及び図１４を用いて説明した実施の形態３に係る統合リスト提供装置１の動作と同様であるため、説明を省略する。
【００６８】
実施の形態２と実施の形態３は以下の点で異なる。
実施の形態２では、複数の再生装置のうち１つの再生装置の再生情報中に第１再生可能データを示す情報が存在した場合、他の再生装置が第１再生可能データの再生を伴う他のプレイリストを生成する際に、前記１つの再生装置が生成したプレイリストにおける第１再生可能データの再生予定期間と、他のプレイリストにおける第１再生可能データの再生期間が重複しないように、他のプレイリストを生成していた。
これに対して実施の形態３では、複数の再生装置のうち１つの再生装置の再生情報中に第１再生可能データを示す情報が存在した場合、他の再生装置が第１再生可能データの再生を伴う他のプレイリストを生成する際に、前記１つの再生装置が生成したプレイリストにおける第１再生可能データの再生予定期間と、他のプレイリストにおける当該第１再生可能データの再生期間が一致するように、他のプレイリストを生成する。
【００６９】
実施の形態３に係る再生システム２において、複数の再生装置のうち１つの再生装置の再生情報中に第１再生可能データを示す情報が存在した場合、当該１つの再生装置はマスタ機器として動作し、他の再生装置はスレーブ機器として動作する。例えば、第１再生装置２３の第１再生情報中に第１再生可能データを示す情報が存在した場合、第１再生装置２３はマスタ機器として動作し、第２再生装置２４はスレーブ機器として動作する。マスタ機器とは、他の再生装置よりも先に第１再生可能データを再生するようなプレイリストを生成した再生装置である。スレーブ機器とは、マスタ機器となった再生装置が前記プレイリストを生成した後に、第１再生可能データを再生するようなプレイリストを生成した再生装置である。第１再生可能データは、マスタ機器となった再生装置の要求により読み出される。スレーブ機器となった再生装置は、マスタ機器となった再生装置の要求により第１記録装置２１から読み出された第１再生可能データを、車内ネットワーク２５を介して取得する。スレーブ機器となった再生装置は、マスタ機器となった再生装置が取得した第１再生可能データを、マスタ機器となった再生装置がスレーブ機器となった再生装置に再送信することで、取得しても良い。
このように構成することで、例えば、マスタ機器となった第１再生装置２３と、スレーブ機器となった第２再生装置２４とは、第１記録装置２１に記録された同じ第１再生可能データを同時に再生することができる。
【００７０】
図１６Ａは、第１再生装置２３で再生中の第１プレイリストの一例である。図１６Ａに示した第１プレイリストは、第２記録装置２２に記録されたタイトルＴ３、第２記録装置２２に記録されたタイトルＴ４、第１記録装置２１に記録されたタイトルＴ１５、第２記録装置２２に記録されたタイトルＴ７の順序に、再生可能データが第１再生装置２３で再生されることを示している。また、図１６Ａは、第２記録装置２２に記録されたタイトルＴ３が再生中であることを示している。
図１６Ｂは、第２再生装置２４が生成する第２プレイリストの一例である。図１６Ｂに示した第２プレイリストは、第２記録装置２２に記録されたタイトルＴ５、第１記録装置２１に記録されたタイトルＴ１５、第２記録装置２２に記録されたタイトルＴ６、第２記録装置２２に記録されたタイトルＴ９の順序に、再生可能データが第２再生装置２４で再生されることを示している。
【００７１】
図１６Ｃは、図１６Ａに示した第１プレイリストと、図１６Ｂに示した第２プレイリストとを、同一の時間軸で並べた図である。第１再生装置２３及び第２再生装置２４における第１記録装置２１に記録されたタイトルＴ１５に対応した第１再生可能データの再生期間が、一部の期間で重複している。このような場合、スレーブ機器である第２再生装置２４は、直接第１記録装置２１から第１再生可能データを読み出すことによっては、当該再生可能データを再生することができない。
【００７２】
実施の形態３に係る第２再生装置２４は、加工済み統合リストに基づいて、第１プレイリストにおける第１再生可能データの再生予定期間と、第２プレイリストにおける当該第１再生可能データの再生期間とが一致するように、第２プレイリストを生成する。
図１６Ｄは、図１６Ａに示した第１プレイリストと、実施の形態３に係る第２再生装置２４が生成した第２プレイリストの一例とを同一の時間軸で並べた図である。図１６Ｄでは、第１記録装置２１に記録されたタイトルＴ１５に対応した第１再生可能データの第１再生装置２３における再生予定期間と、当該第１再生可能データの第２再生装置２４における再生期間とが一致している。
【００７３】
実施の形態３に係る第１再生装置２３及び第２再生装置２４をこのように構成すれば、複数の再生装置からの同時に読み出しが不可能な記録装置に記録された再生可能データを、複数の再生装置間で再生可能に共有するための再生システム２を提供することができる。
【００７４】
これまで説明した実施の形態３に係る第２再生装置２４は、統合リストに基づいて、第１プレイリストにおける第１再生可能データの再生予定期間と、第２プレイリストにおける当該第１再生可能データの再生期間が一致するように、第２プレイリストを生成するものある。
実施の形態３に係る第２再生装置２４が図１６Ｄに示したような第２プレイリストを再生した場合、第２再生装置２４は、再生中のタイトルＴ６の再生を途中で終了させ、タイトルＴ１５の再生を開始する。このような場合、再生可能データの再生の切り替わり時に再生が不連続となり、異音が発生する等、ユーザに対して不快感を与えてしまう。
そこで、実施の形態３に係る第２再生装置２４は、第１再生可能データを再生する際、当該第１再生可能データの再生を開始する時点で再生している再生可能データをフェードアウト処理して当該再生可能データの再生を終了するようにしても良い。
実施の形態３に係る第２再生装置２４をこのように構成すれば、再生可能データの再生の切り替わり時にユーザに対して与えてしまう不快感を緩和することができる。
【００７５】
また、第２再生装置２４が図１６Ｄに示したような第２プレイリストを再生した場合、第２再生装置２４は、タイトルＴ１５の再生を終了後、再生を中断していたタイトルＴ６の再生を途中から再開する。このような場合、再生可能データの再生の切り替わり時に、再生が不連続となり、異音が発生する等、ユーザに対して不快感を与えてしまう。
そこで、実施の形態３に係る第２再生装置２４は、第１再生可能データを再生した後、当該第１再生可能データの再生を開始する時点で再生していた再生可能データをフェードイン処理して、当該再生可能データの途中から再生を再開するようにしても良い。
実施の形態３に係る第２再生装置２４をこのように構成すれば、再生可能データの再生の切り替わり時にユーザに対して与えてしまう不快感を緩和することができる。
【００７６】
図１６Ｅ及び図１６Ｆは、実施の形態３に係る第２再生装置２４が生成した第２プレイリストの一例である。図１６Ｅ及び図１６Ｆではいずれも、第１記録装置２１に記録されたタイトルＴ１５に対応した第１再生可能データの第１再生装置２３における再生予定期間と、当該第１再生可能データの第２再生装置２４における再生期間とが一致している。
図１６Ｅでは、第２再生装置２４は、第１再生可能データを再生した後、当該第１再生可能データの再生を開始する時点で再生していた再生可能データを、その先頭から再生するように第２プレイリストを生成している。
実施の形態３に係る第２再生装置２４をこのように構成すれば、再生可能データの再生の切り替わり時に再生が不連続となる回数を減らすことができ、ユーザに対して不快感を与えてしまう回数を減らすことが可能になる。
【００７７】
図１６Ｆでは、第２再生装置２４は、第１再生可能データを再生した後、当該第１再生可能データの再生を開始する時点で再生していた前記再生可能データとは異なる再生可能データを先頭から再生するように第２プレイリストを生成している。
実施の形態３に係る第２再生装置２４をこのように構成すれば、再生可能データの再生の切り替わり時に再生が不連続となる回数を減らすことができ、ユーザに対して不快感を与えてしまう回数を減らすことが可能になる。
【００７８】
第１再生可能データの第１プレイリストにおける再生予定期間と、当該第１再生可能データの再生期間が一致するように生成した第２プレイリストにおいて、実施の形態３に係る第２再生装置２４が、当該第１再生可能データの再生中に再生を停止した場合について説明する。
スレーブ機器である第２再生装置２４が第１再生可能データの再生中に再生を停止した場合、マスタ機器である第１再生装置２３は、当該第１再生可能データの再生を継続する。その後、スレーブ機器である第２再生装置２４が再生を再開した際、マスタ機器である第１再生装置２３が第１再生可能データを再生中であり、第２プレイリストが当該第１再生可能データを再生するものであった場合、スレーブ機器である第２再生装置２４は、マスタ機器である第１再生装置２３が再生している当該第１再生可能データの再生部分から、再生を開始するように構成しても良い。
この際、実施の形態３に係る第２再生装置２４は、再生を再開する際に当該第１再生可能データをフェードイン処理して再生するようにしても良い。
【００７９】
次に、第１再生可能データの第１プレイリストにおける再生予定期間と、当該第１再生可能データの再生期間が一致するように生成した第２プレイリストにおいて、実施の形態３に係る第１再生装置２３が、当該第１再生可能データの再生中に再生を停止した場合について説明する。
マスタ機器である第１再生装置２３が第１再生可能データの再生中に再生を停止した場合、これまでスレーブ機器として動作していた第２再生装置２４がマスタ機器として動作する。また、これまでマスタ機器として動作していた第１再生装置２３は、第１再生可能データの再生を再開する際、スレーブ機器として動作する。すなわち、第１再生装置２３が第１再生可能データの再生中に再生を停止した場合、第２再生装置２４は、第１記録装置２１に当該第１再生可能データの読み出しを要求して再生を継続する。その後、新たにスレーブ機器となった第１再生装置２３が再生を再開した際、新たにマスタ機器となった第２再生装置２４が第１再生可能データを再生中であり、第１プレイリストに当該第１再生可能データを再生する情報が含まれている場合、新たにスレーブ機器となった第１再生装置２３は、新たにマスタ機器となった第２再生装置２４が再生している当該第１再生可能データの再生部分から、再生を開始するように構成しても良い。
この際、実施の形態３に係る第１再生装置２３は、再生を再開する際に当該第１再生可能データをフェードイン処理して再生するようにしても良い。
【００８０】
実施の形態３では、各再生装置がプレイリストを生成し、生成したプレイリストに従って各再生装置が再生可能データを再生する例を示したが、この構成に限るものではない。統合リスト提供装置１は、１つの再生装置が再生している再生可能データの再生状況を示す再生情報を取得することで、加工済み統合リストを生成することが可能である。すなわち、１つの再生装置が第１再生可能データを再生中の場合、他の再生装置は、スレーブ機器として動作し、１つの再生装置が再生中の第１再生可能データを再生することができる。
【００８１】
これまでの各実施の形態において、統合リスト提供装置１は、メタデータ取得部１１で第１メタデータを取得するか否かをユーザの入力により選択する取得選択部を備えても良い。
統合リスト提供装置１が第１メタデータを取得しないよう選択している場合、第１記録装置２１を一部機能としている再生装置、車内ネットワーク２５を介さずに第１記録装置２１が直接接続されている再生装置等の、第１再生可能データを読み出すことができる唯一の再生装置は、当該第１再生可能データを独占的に再生することができる。
統合リスト提供装置１をこのように構成することで、第１再生可能データを読み出すことができる唯一の再生装置で生成したプレイリストは、必ず再生できる。また、統合リストが第２メタデータのみにより生成されることになるため、他の再生装置においても、統合リストに基づいて生成したプレイリストは、必ず再生できる。このため、ユーザが混乱することがない。
【００８２】
また、これまでの各実施の形態では、複数の再生装置からの同時読み出しが不可能な記録装置、すなわち、第１記録装置２１が１つの場合について説明したが、これに限るものではなく、車内ネットワーク２５に第１記録装置２１が複数存在しても良い。
また、これまでの各実施の形態では、複数の再生装置からの同時読み出しが可能な記録装置、すなわち、第２記録装置２２が１つの場合について説明したが、これに限るものではなく、車内ネットワーク２５に第２記録装置２２が複数存在しても良い。
【００８３】
また、これまでの各実施の形態では、再生装置が第１再生装置２３及び第２再生装置２４の２つの場合について説明したが、これに限るものではなく、車内ネットワーク２５に３つ以上の再生装置が存在しても良い。
【００８４】
また、これまでの各実施の形態では、第１再生装置２３が第２再生装置２４より先にプレイリストを生成した場合について説明したが、プレイリストが生成される順番は、上述の順番に限らず、第２再生装置２４が第１再生装置２３より先にプレイリストを生成しても良い。
【００８５】
なお、この発明はその発明の範囲内において、各実施の形態の自由な組み合わせ、あるいは各実施の形態の任意の構成要素の変形、もしくは各実施の形態において任意の構成要素の省略ができる。
【符号の説明】
【００８６】
１  統合リスト提供装置、２  再生システム、１１  メタデータ取得部、１２  リスト生成部、１３  リスト提供部、１４  再生情報取得部、１５  リスト加工部、２１  第１記録装置、２２  第２記録装置、２３  第１再生装置、２４  第２再生装置、２５  車内ネットワーク、２０１  処理回路、２０２  ＨＤＤ、２０３  入力インタフェース装置、２０４  出力インタフェース装置、２０５  メモリ、２０６  ＣＰＵ。
【図１】
2019160363.tif 000003
【図２】
2019160363.tif 000004
【図３】
2019160363.tif 000005
【図４】
2019160363.tif 000006
【図５】
2019160363.tif 000007
【図６】
2019160363.tif 000008
【図７】
2019160363.tif 000009
【図８】
2019160363.tif 000010
【図９】
2019160363.tif 000011
【図１０】
2019160363.tif 000012
【図１１】
2019160363.tif 000013
【図１２】
2019160363.tif 000014
【図１３】
2019160363.tif 000015
【図１４】
2019160363.tif 000016
【図１５】
2019160363.tif 000017
【図１６】
2019160363.tif 000018